(57)【特許請求の範囲】
【請求項１】
円筒状のフィルタエレメントと、
一端に開口を有する有底円筒状のエレメント収容空間を備えて、前記エレメント収容空間内に前記フィルタエレメントを収容保持し、前記エレメント収容空間内における旋回空気流を生じさせる位置に空気入口が設けられるとともに、前記フィルタエレメントを通過して清浄化された空気を排出させる空気出口が設けられたクリーナーケースと、
前記開口を覆って前記クリーナーケースに取り付けられる円筒状のケースカバーと、
前記ケースカバーの内部に取り付けられる円筒状のダストカバーとを備え、
前記クリーナーケースと前記ケースカバーと前記ダストカバーとに囲まれた閉塞空間により塵埃捕獲空間が形成され、
前記ケースカバーが、前記ケースカバーの内部底面に前記ダストカバーの底面を支持するように設けられ、前記ケースカバーの内部底面の外側から中心に向かって延びる螺旋状に形成されて、前記エレメント収容空間内から前記ダストカバーの切り欠き部を通って前記塵埃捕獲空間内に達した前記旋回空気流の一部を前記塵埃捕獲空間の中心側へ導くダストカバー支持リブと、
前記ケースカバーの内部底面から垂直に伸びるとともに、前記ダストカバーの外周円の接線方向に対し前記塵埃捕獲空間内に達した前記旋回空気流の一部を前記中心側へ導くように傾いて前記ダストカバーの外周面と接し、前記ダストカバーの外周面を保持するように設けられた板状のダストカバー取付ガイドとを備えていることを特徴とするサイクロン式エアクリーナ。
【請求項２】
前記ダストカバーが、前記ケースカバーの内部に前記ケースカバーの軸芯と偏芯するように取り付けられ、前記ダストカバーの外周部に凸部を備えるとともに、
前記ダストカバーの外周面と接するように並ぶ複数の前記ダストカバー取付ガイドの間隙部に、前記ダストカバーの回転方向に対する取付位置決めを行うように前記凸部を受容する受容部が設けられることを特徴とする請求項１に記載のサイクロン式エアクリーナ。
【発明の詳細な説明】
【０００１】
【発明の属する技術分野】
本発明は、エンジン等に用いられ、その吸入空気中の塵埃を除去するフィルタエレメントを有したエアクリーナに関し、さらに詳しくは、サイクロン方式を採用したエアクリーナに関する。
【０００２】
【従来の技術】
例えば、エンジンを多塵地域等で用いる場合の対策として、フィルタエレメントによる吸入空気中の塵埃の除去前に、塵埃を有した空気を旋回させ、この旋回による遠心力を利用して比較的質量の大きな塵埃を予め除去した後、フィルタエレメントによる塵埃の除去を行わせるようにしたサイクロン式エアクリーナを用いることは従来から知られている。
【０００３】
サイクロン式エアクリーナには、円筒状の内周面により囲まれたエレメント収容空間を有した円筒状のクリーナーケースと、このエレメント収容空間内に挿入保持されたフィルタエレメントと、クリーナーケースの開口した端部を覆ってクリーナーケースに取り付けられる円筒状のケースカバーと、ケースカバーの内部に取り付けられた円筒状のダストカバーとから構成されるものがある。このような構成のサイクロン式エアクリーナによれば、空気入口からクリーナーケース内に導入された空気が旋回する際の遠心力により、比較的質量の大きな塵埃は外方に放り出され、クリーナーケースの内周面に沿って重力により下方へ落ちてケースカバーとダストカバーとの間に形成された塵埃捕獲空間に入り込む。そして、塵埃捕獲空間に入り込んだ比較的質量の大きな塵埃は、ケースカバーをクリーナーケースから取り外すことによりエアクリーナの外部に排出される。このようにして入口通路から取り入れられた空気中の比較的質量の大きな塵埃が除去された後、フィルタエレメントを通過して空気中の塵埃が除去され、清浄化された空気が出口通路を通ってエンジンに供給される。
【０００４】
【発明が解決しようとする課題】
しかしながら、空気中の比較的質量の大きな塵埃は、空気入口からクリーナーケース内に導入された空気が旋回する際の遠心力により外方に放り出され、クリーナーケースの内周面に沿って重力により下方へ落ちるため、比較的質量の大きな塵埃がケースカバーの内周面に沿いに偏って塵埃捕獲空間内に堆積し、塵埃捕獲空間の中央部を塵埃捕獲空間として利用することが難しい。このため、塵埃捕獲空間におけるケースカバーの内周面に沿った部分が比較的質量の大きな塵埃により充満した状態で、ケースカバーをクリーナーケースから取り外して比較的質量の大きな塵埃をエアクリーナの外部に排出させる必要が生じる。そのため、ケースカバーをクリーナーケースから取り外して比較的質量の大きな塵埃をエアクリーナの外部に排出させる回数が必要以上に多くなり、集塵効率が低下するという問題があった。
【０００５】
本発明は、このような問題に鑑みてなされたものであり、塵埃捕獲空間の中央部も塵埃捕獲空間として用いることができるようにして、従来と比べてより高い集塵効率が得られるサイクロン式エアクリーナを提供することを目的とする。
【０００６】
【課題を解決するための手段】
このような目的達成のため、本発明においては、円筒状のフィルタエレメントと、一端に開口を有する有底円筒状のエレメント収容空間を備えて、エレメント収容空間内にフィルタエレメントを収容保持し、エレメント収容空間内における旋回空気流を生じさせる位置に空気入口が設けられるとともに、フィルタエレメントを通過して清浄化された空気を排出させる空気出口が設けられたクリーナーケースと、開口を覆ってクリーナーケースに取り付けられる円筒状のケースカバーと、ケースカバーの内部に取り付けられる円筒状のダストカバーとを備えたサイクロン式エアクリーナにおいて、クリーナーケースとケースカバーとダストカバーとに囲まれた閉塞空間により塵埃捕獲空間が形成され、ケースカバーが、ケースカバーの内部底面にダストカバーの底面を支持するように設けられ、ケースカバーの内部底面の外側から中心に向かって延びる螺旋状に形成されて、エレメント収容空間内からダストカバーの切り欠き部を通って塵埃捕獲空間内に達した旋回空気流の一部を塵埃捕獲空間の中心側へ導くダストカバー支持リブと、ケースカバーの内部底面から垂直に伸びるとともに、ダストカバーの外周円の接線方向に対し塵埃捕獲空間内に達した旋回空気流の一部を中心側へ導くように傾いてダストカバーの外周面と接し、ダストカバーの外周面を保持するように設けられた板状のダストカバー取付ガイドとを備える。
【０００７】
このような構成によれば、ダストカバー支持リブがケースカバーの内部底面の外側から中心に向かってエレメント収容空間内における旋回空気流の流れ方向と同一方向に曲がった羽根形状を有しており、塵埃捕獲空間とエレメント収容空間とが繋がっているため塵埃捕獲空間内における空気もエレメント収容空間内における旋回空気流と同一方向に旋回することから、塵埃捕獲空間内に入り込んだ比較的質量の大きな塵埃は、塵埃捕獲空間内における旋回空気流によりダストカバー支持リブに沿ってケースカバーの内部底面中央、すなわち塵埃捕獲空間の底部中央に導かれる。また、ダストカバー取付ガイドがダストカバーの外周円の接線方向に対しエレメント収容空間内における旋回空気流の流れ方向と同一方向へ傾いているため、塵埃捕獲空間内に入り込んだ比較的質量の大きな塵埃は、塵埃捕獲空間内における旋回空気流により同様にダストカバー取付ガイドに沿って塵埃捕獲空間の底部中央に導かれる。そのため、比較的質量の大きな塵埃が塵埃捕獲空間内で均等に堆積し、全空間を塵埃捕獲空間として利用できることにより一度に多量の比較的質量の大きな塵埃を蓄積することが可能となるため、ケースカバーをクリーナーケースから取り外して比較的質量の大きな塵埃をエアクリーナの外部に排出させる回数を減らすことが可能となり、従来のサイクロン式エアクリーナと比べてより高い集塵効率を得ることができる。
【０００８】
また、ダストカバーがケースカバーの内部にケースカバーの軸芯と偏芯するように取り付けられた場合、ダストカバーがその外周部に凸部を備えるとともに、ダストカバーの外周面と接するように並ぶ複数のダストカバー取付ガイドの間隙部に、ダストカバーの回転方向に対する取付位置決めを行うように凸部を受容する受容部が設けられることが好ましい。このようにすれば、ダストカバーをケースカバーの内部に取り付ける際に、ダストカバーの回転方向に対する取付位置決めを容易に行うことができ、且つ誤った向きに取り付けることがない。
【０００９】
【発明の実施の形態】
以下、図面を参照して本発明の好ましい実施形態について説明する。図１は本発明に係るエアクリーナーの一実施形態を示す部分断面正面図であり、図２はその部分断面右側面図、図３は部分断面左側面図、図４は部分断面平面図である。また、図５は図１における矢視V−Vより見た断面図、図６は図２における矢視VI−VIより見た断面図、図７は図３における矢視VIIより見たの底面図である。また、図８は本エアクリーナーの分解斜視図である。
【００１０】
図８に示すように、本エアクリーナー１はクリーナーケース１０と、このクリーナーケース１０内に収容保持された円筒状のフィルタエレメント６０と、クリーナーケース１０内に着脱自在に取り付けられて水分離部材としての役割を果たすインレットパイプ７０とを備えて構成される。ここでクリーナーケース１０はケース本体２０と、このケース本体２０の上部に着脱自在に取り付けられる上部カバー３０と、ケース本体２０の下部に着脱自在に取り付けられるケースカバー４０と、ケース本体２０の側部に着脱自在に取り付けられる側部カバー５０とを有して構成されている。
【００１１】
クリーナーケース１０のケース本体２０はその中央部が縦長の円筒形状に形成されており、その内部にはフィルタエレメント６０を収容するための円筒状のエレメント収容空間ＥＳが形成されている（図５及び図６参照）。このエレメント収容空間ＥＳを構成するケース本体２０の上壁２１中央部には円形の上部開口２１ａが形成されており（図８参照）、この上部開口２１ａからは円筒状の連通管２２が下方に延びて設けられている（図５参照）。また、エレメント収容空間ＥＳの正面側には中空の水溜め槽半体２３が形成されており、その右壁２３ａからは空気の入口であるインレット２４が右方水平に突出して延びて設けられている。水溜め槽半体２３の内部壁２３ｂの上部にはエレメント収容空間ＥＳと繋がる空気流入窓２５が開口しており、インレット２４より流入した空気はこの空気流入窓２５からエレメント収容空間ＥＳ内に入り込むようになっている。
【００１２】
エレメントケース１０を構成する側部カバー５０はケース本体２０に形成された上述の水溜め槽半体２３の前方に着脱自在に取り付けられ、この側部カバー５０がケース本体２０に取り付けられた状態では、水溜め槽半体２３と側部カバー５０とにより水溜め槽が形成されてその内部には水溜め空間ＷＳが形作られる（図４，５，６参照）。水溜め槽半体２３の下部には水抜き孔が設けられており、この水抜き孔には水抜き用のアンローダバルブ９１が取り付けられている（図２，７，８参照）。
【００１３】
図９はインレットパイプ７０の斜視図を示している。このインレットパイプ７０の基部７１はほぼ円筒状に形成されて水平方向に延びており、その上下部にはケース本体２０に本インレットパイプ７０を取り付けるための耳部７２，７２が上下に張り出して設けられている。基部７１のケース本体２０側に位置する内面は空気の入口側（インレット２４側）では円筒曲面状に形成されているが、空気の出口側（空気流入窓２５側）ではほぼ平面状に形成されるとともに、空気の出口側に延出して延びた空気案内部７３が設けられている。また、空気案内部７３の下方側には空気の出口側にほぼ水平に突出して延びた水分案内部７４が設けられており、その先端部は先鋭状に形成されている。また、この水分案内部７４の空気案内部７３とは反対側（側部カバー５０側）の付け根部、すなわち空気案内部７３と水分案内部７４との間にはインレット２４側に延びた切り欠き７５が設けられている。
【００１４】
ケース本体２０に形成された上記空気流入窓２５の上下位置には、図８に示すようにインレットパイプ７０を取り付けるための上下の突起２６，２６が設けられており、これら突起２６，２６にインレットパイプ７０の上下の耳部７２，７２に形成された孔７２ａ，７２ａを貫通させた上で両突起２６，２６の端部にプッシュナットＮ，Ｎを装着することによりインレットパイプ７０をケース本体２０に取り付けることができる。このように本エアクリーナー１におけるインレットパイプ７０はケース本体２０に対して着脱自在である。
【００１５】
図５および図６に示すように、本エアクリーナー１に用いられるフィルタエレメント６０は多数の孔が形成された円筒殻からなる基部６１の外周に蛇腹状に折り畳んだ不織布からなる濾紙６２を巻き付けるように取り付け、その上端及び下端を円盤状の固定キャップ６３，６４により保持した構成となっている。上方の固定キャップ６３の中央部には基部６１の外周よりもやや大きい内周を有する円孔からなる空気排出口６１ａが設けられており、この空気排出口６１ａには上方に向かって外方に開いた円錐状のリップ部６５ａを有する円筒状のシール部材６５が取り付けられている。また、このフィルタエレメント６０の下方に位置する固定キャップ６４の下面側には断面台形リング状のダストカバー設置用部材６６が設けられている。
【００１６】
フィルタエレメント６０は図５及び図８に示すように上方に開口した円筒皿状のダストカバー８０により下部が保持された状態でケース本体２０の下部より挿入取り付けされ、このダストカバー８０を更に下から保持するように上方に開口した円筒皿状のケースカバー４０がケース本体２０の下部に装着される。ダストカバー８０の底面部には断面台形状のリング状溝８１が形成されており、ダストカバー８０がフィルタエレメント６０の下部に取り付けられた状態では、上記フィルタエレメント６０下部のダストカバー設置用部材６６が上方から嵌入するようになっている。また、ダストカバー８０の外周部には外方に張り出して設けられたリング状のガスケット保持部８２が設けられており、このガスケット保持部８２にはリング状のガスケット８３が取り付けられている（図５及び図８参照）。このガスケットはケース本体２０内に取り付けられたときにケース本体２０の内壁に密着してダストカバー８０とケース本体２０内面との間の気密性を保つ働きをする。
【００１７】
ケースカバー４０の外周部には揺動自在に取り付けられた３つのクランプ４３，４３，４３が取り付けられており、これらクランプ４３，４３，４３をケース本体２０下部に設けられたクランプ係止部２７に係止することによりケースカバー４０をケース本体２０に固定することができるようになっている。また、ケースカバー４０の中央部には上下に貫通した孔が設けられており、この孔にはアンローダバルブ９２が取り付けられている（図５，７，８参照）。
【００１８】
このようにフィルタエレメント６０がエレメント収容空間ＥＳ内に装着されると、ケース本体２０の上壁２１より下方に延びて形成された前述の連通管２２がフィルタエレメント６０の上部に取り付けられたシール部材６５の開口部６５ａより嵌入する。フィルタエレメント６０が完全にケース本体２０内に装着されると、シール部材６５のリップ部６５ｂはケース本体２０の上壁２１に下方から押し付けられて外方に開き、円錐部内の空気が負圧になってリップ部６５ｂがケース本体２０の上壁２１に密着する。これによりフィルタエレメント６０の基部６１と連通管２２との間はシールされた状態となり、フィルタエレメント６０の基部６１内の空気は効率よくアウトレット３２に流れるようになる。
【００１９】
また、ケース本体２０の上壁２１下面には図５に示すように下方に突出したリング状のリップ部保護部２９が設けられており、上述のようにフィルタエレメント６０がエレメント収容空間ＥＳ内に取り付けられた状態では、外方に開いたシール部材６５のリップ部６５ｂはそのリップ部保護部２９の内方に位置するようになっている。すなわち、フィルタエレメント６０がクリーナーケース１０内に取り付けられた状態では、リップ部保護部２９は外方に広がったシール部材６５のリップ部６５ｂの外周を囲んで位置している。
【００２０】
上部カバー３０はケース本体２０の上部に取り付けられる。この上部カバー３０には箱形形状のボックス部３１と、このボックス部３１の中央部より水平に屈曲して延びて形成された筒状のアウトレット（空気出口）３２とを有しており、上部カバー３０がケース本体２０の上壁２１上面側に形成された上部カバー取付枠２８に取り付けられた状態では、ボックス部３１とケース本体２０の上壁２１との間にレゾネータ空間ＲＳが形成されるようになっている（図５参照）。インレット２４より流入した空気は空気流入窓２５よりエレメント収容空間ＥＳ内に入り、フィルタエレメント６０の外周を回りながら流れる。そして、フィルタエレメント６０の濾紙６２をその外周部より内周部に向かう方向に通過して基部６１の内部空間内に至り、この基部６１の内部空間と連通した連通管２２より上記レゾネータ空間ＲＳ内を経てアウトレット３２から本エアクリーナー１の外部に排出される。アウトレット３２はエンジン（図示せず）の吸気系統に接続されるため、本エアクリーナー１内の空気はエンジンの吸気バルブの開閉により振動するが、上記のように空気の流路の途中にレゾネータ空間ＲＳ、すなわち共鳴空間が位置しているために吸気騒音は減衰し、吸気動作もスムーズに行われるようになる。
【００２１】
また、上述のように、空気流入窓２５よりエレメント収容空間ＥＳ内に入った空気はフィルタエレメント６０の外周を回りながら流れるので、その遠心力により空気中に含まれる大きな埃や小石といった比較的質量の大きな塵埃が分離される。本エアクリーナー１においては、図６に示すように円筒状のエレメント収容空間ＥＳの中心軸ＡＸ１とこのエレメント収容空間ＥＳ内に保持されたフィルタエレメント６０の中心軸ＡＸ２とは僅かにずれてフィルタエレメント６０の中心軸ＡＸ２はエレメント収容空間ＥＳの中心軸ＡＸ１の後右方（図６では紙面の右下方）に位置しており、エレメント収容空間ＥＳを形成する円筒状のケース本体２０の内壁とフィルタエレメント６０の外面とがなす空気通路の幅は広い部分から狭い部分へ滑らかに変化するようになっているので、インレット２４より流入した空気の速度は徐々に速められてより効果的に比較的質量の大きな塵埃を分離できるようになっている。
【００２２】
このように遠心力により分離された比較的質量の大きな塵埃はケース本体２０の内壁に沿って下方に落ちていくが、これら比較的質量の大きな塵埃を塵埃捕獲空間ＤＳ内に導くため、リング状のガスケット保持部８２の一部には上下に貫通した切り欠き部８４（図６において斜線で示す部分）が設けられている。塵埃捕獲空間ＤＳは、ケース本体２０およびケースカバー４０とダストカバー８０とに囲まれた有底円筒リング状の閉塞空間であり、ケース本体２０の内壁に沿って下方に落ちてきた比較的質量の大きな塵埃は、エレメント収容空間ＥＳ内を旋回する空気の一部とともに切り欠き部８４を通って塵埃捕獲空間ＤＳ内に入り込む。
【００２３】
ケースカバー４０の底壁４１の上面側には図６、図８および図１０に示すようにダストカバー８０の底面を支持する３つのダストカバー支持リブ４２，４２，４２が設けられており、これらダストカバー支持リブ４２，４２，４２はインレット２４から流入した空気がエレメント収容空間ＥＳ内を回る方向と同一の方向に曲がった羽根形状をしている。また、エレメント収容空間ＥＳ内から切り欠き部８４を通って塵埃捕獲空間ＤＳ内に入り込んだ空気は、インレット２４から流入した空気がエレメント収容空間ＥＳ内を回る方向と同一の方向に引き続き回るため、塵埃捕獲空間ＤＳ内に入り込んだ比較的質量の大きな塵埃は、塵埃捕獲空間ＤＳ内の空気とともに塵埃捕獲空間ＤＳ内を回り、その遠心力により塵埃捕獲空間ＤＳ内の空気から分離されて、ケースカバー４０の内壁に沿って下方に落ちていく。そして、ケースカバー４０の底壁４１付近まで落ちてきた比較的質量の大きな塵埃は、塵埃捕獲空間ＤＳ内を旋回する空気によりダストカバー支持リブ４２，４２，４２に沿って底壁４１の上面側中央、すなわち塵埃捕獲空間ＤＳの底部中央に集められる。このようにしてケースカバー４０の底壁４１の上面側中央に集められた比較的質量の大きな塵埃は、前述のクランプ４３，４３，４３による係止を解除してケースカバー４０をケース本体２０より取り外すことにより本エアクリーナー１の外部に排出させることができる。
【００２４】
また、ケースカバー４０の底壁４１の上面側には、図６、図８および図１０に示すように１３個の板状のダストカバー取付ガイド４４，４４…が、ケースカバー４０の底壁４１の上面側から垂直に伸びてダストカバーの外周面を保持するように設けられており、これら板状のダストカバー取付ガイド４４，４４…は、ダストカバー８０の外周円の接線方向に対しインレット２４から流入した空気がエレメント収容空間ＥＳ内を回る方向と同一の方向へ傾いてダストカバー８０の外周面と接している。そのため、塵埃捕獲空間ＤＳ内に入り込んでケースカバー４０の底壁４１付近まで落ちてきた比較的質量の大きな塵埃は、塵埃捕獲空間ＤＳ内を旋回する空気によりダストカバー取付ガイド４４，４４…に沿って塵埃捕獲空間ＤＳの底部中央へ導かれる。また、ダストカバー８０は、上述のような構成のダストカバー取付ガイド４４，４４…と嵌合するようにしてケースカバー４０に取り付けられるが、ダストカバー８０の外周部に台形状の凸部８０ａが設けられるとともに、ダストカバー取付ガイド４４，４４…にダストカバー８０の回転方向に対する取付位置決めを行うように凸部８０ａを受容する受容部４４ａが設けられている。なお、エレメント収容空間ＥＳの中心軸ＡＸ１とフィルタエレメント６０の中心軸ＡＸ２とが僅かにずれて位置しており、円筒状のケース本体２０の内壁とフィルタエレメント６０の外面とがなす空気通路の幅は広い部分から狭い部分へ滑らかに変化するようになっているので、フィルタエレメント６０の下部を保持するダストカバー８０の回転方向に対する取付位置決めを行う必要がある。そのため、ダストカバー８０をケースカバー４０に取り付ける際に、ダストカバー８０の凸部８０ａをダストカバー取付ガイド４４，４４…の受容部４４ａにはめ込むようにすれば、ダストカバー８０の回転方向に対する取付位置決めを容易に行うことができ、且つ誤った向きに取り付けることがない。
【００２５】
インレット２４よりケース本体２０内に流入した空気中の水分はインレットパイプ７０の基部内壁（基部７１の内壁）において凝結して水滴となるが、この基部内壁に付着した水滴は自重により基部内壁の底部へ移動するとともに、エレメント収容空間ＥＳに流れる空気により空気の出口側（空気流入窓２５側）に押されて移動するのでインレットパイプ７０に形成された前述の切り欠き７５より水溜め空間ＷＳ内に落下する。また、インレットパイプ７０の水分案内部７４の先端が水溜め空間ＷＳ内に位置していることから、上記切り欠き７５より落下しなかった水分も水分案内部７４を伝ってその先端部から水溜め空間ＷＳ内に落下する。ここで、インレット２４より流入した空気中の水分が凝結し易いようにするため、インレット２４内に格子状の部材（例えばハニカム構造の筒状部材）を挿入取り付けするようにしてもよい。また、インレットパイプ７０の基部内壁において水滴とならなかった空気（水分を含んだ空気）は水分を含まない空気よりも慣性が大きいため、空気流入窓２５よりエレメント収容空間ＥＳ内に流入することなく直進してその多くは水溜め空間ＷＳ内に入ることになる。このように水溜め空間ＷＳ内に蓄積された水分は前述のアンローダバルブ９１を押し上げて水溜め槽半体２３に設けられた水抜き孔を開放することにより本エアクリーナー１の外部に排出させることができる。
【００２６】
上述のように、インレット２４より流入した空気中の水分はインレットパイプ７０において分離されて水溜め空間ＷＳ内に蓄積されるが、全ての水分がインレットパイプ７０において分離されるわけではない。インレットパイプ７０において流入空気より分離されなかった水分はケース本体２０の空気流入窓２５よりエレメント収容空間ＥＳ内に入り込むが、その水分はエレメント収容空間ＥＳ内を回る間にケース本体２０の内壁において凝結して下方に流れ落ちる。このような水分は図５からも分かるようにダストカバー８０のガスケット保持部８２に流れ落ちるが、このガスケット保持部８２に流れ落ちた水分は前述の切り欠き８４部より塵埃捕獲空間ＤＳ内へ流入する。このように塵埃捕獲空間ＤＳ内へ流入した水分は上述のアンローダバルブ９２を押し上げてケースカバー４０中央部の孔を開放することにより本エアクリーナー１の外部に排出させることができる。
【００２７】
また、フィルタエレメント６０の清掃時などフィルタエレメント６０をケース本体２０より取り外す場合には、先ずケース本体２０下部のクランプ係止部２７に引き掛けられたクランプ４３，４３，４３の係止を解除してケース本体２０よりケースカバー４０を取り外し、続いてダストカバー８０をフィルタエレメント６０の下部より取り外す。そしてフィルタエレメント６０の下部を手でつかんで斜めに傾け、ケース本体２０の上壁２１に吸着したシール部材６５のリップ部６５ｂを上壁２１より剥がれるようにする。この後フィルタエレメント６０を下方に引き抜いてケース本体２０より取り出せばフィルタエレメント６０をケース本体２０より分離することができる。
【００２８】
本エアクリーナー１の構成は上述の通りであるが、本エアクリーナー１においては前述のように、ダストカバー支持リブ４２，４２，４２はインレット２４から流入した空気がエレメント収容空間ＥＳ内を回る方向と同一の方向に曲がった羽根形状をしており、また、エレメント収容空間ＥＳ内から切り欠き部８４を通って塵埃捕獲空間ＤＳ内に入り込んだ空気は、インレット２４から流入した空気がエレメント収容空間ＥＳ内を回る方向と同一の方向に引き続き回るため、塵埃捕獲空間ＤＳ内に入り込んだ比較的質量の大きな塵埃は、塵埃捕獲空間ＤＳ内を旋回する空気によりダストカバー支持リブ４２，４２，４２に沿って底壁４１の上面側中央、すなわち塵埃捕獲空間ＤＳの底部中央に集められる。また、ダストカバー取付ガイド４４，４４…は、ダストカバー８０の外周円の接線方向に対しインレット２４から流入した空気がエレメント収容空間ＥＳ内を回る方向と同一の方向へ傾いているため、塵埃捕獲空間ＤＳ内に入り込んだ比較的質量の大きな塵埃は、塵埃捕獲空間ＤＳ内を旋回する空気により同様にダストカバー取付ガイド４４，４４…に沿って塵埃捕獲空間ＤＳの底部中央へ導かれる。そのため、比較的質量の大きな塵埃が塵埃捕獲空間ＤＳ内で均等に堆積し、全空間を塵埃捕獲空間として利用できることにより一度に多量の比較的質量の大きな塵埃を蓄積することが可能となる。このため、ケースカバー４０をケース本体２０より取り外すことにより比較的質量の大きな塵埃を本エアクリーナー１の外部に排出させる回数を減らすことが可能となり、従来のサイクロン式エアクリーナと比べてより高い集塵効率を得ることができる。
【００２９】
また、ダストカバー８０の外周部に台形状の凸部８０ａが設けられるとともに、ダストカバー取付ガイド４４，４４…にダストカバー８０の回転方向に対する取付位置決めを行うように凸部８０ａを受容する受容部４４ａが設けられることが好ましい。これにより、ダストカバー８０の回転方向に対する取付位置決めを容易に行うことができ、且つ誤った向きに取り付けることがない。
【００３０】
なお、本エアクリーナー１においては、円筒状のエレメント収容空間ＥＳの中心軸ＡＸ１とエレメント収容空間ＥＳ内に保持されたフィルタエレメント６０の中心軸ＡＸ２とが僅かにずれるようにしてフィルタエレメント６０をエレメント収容空間ＥＳ内に装着したが、本発明はこれに限られるものではなく、円筒状のエレメント収容空間ＥＳの中心軸ＡＸ１とエレメント収容空間ＥＳ内に保持されたフィルタエレメント６０の中心軸ＡＸ２とが同位置になるようにしてフィルタエレメント６０をエレメント収容空間ＥＳ内に装着してもよい。また上述の場合、ダストカバー８０の外周部に凸部８０ａと、ダストカバー取付ガイド４４，４４…に受容部４４ａとを設けなくてもよい。なぜなら、中心軸ＡＸ１と中心軸ＡＸ２の位置が同位置であれば、エレメント収容空間ＥＳを形成する円筒状のケース本体２０の内壁とフィルタエレメント６０の外面とがなす空気通路の幅が一定となるため、フィルタエレメント６０の下部を保持するダストカバー８０の回転方向に対する取付位置決めを行わなくてもよいからである。
【００３１】
【発明の効果】
以上説明したように、本発明によるサイクロン式エアクリーナによれば、ダストカバー支持リブがケースカバーの内部底面の外側から中心に向かってエレメント収容空間内における旋回空気流の流れ方向と同一方向に曲がった羽根形状を有しており、塵埃捕獲空間とエレメント収容空間とが繋がっているため塵埃捕獲空間内における空気もエレメント収容空間内における旋回空気流と同一方向に旋回することから、塵埃捕獲空間内に入り込んだ比較的質量の大きな塵埃は、塵埃捕獲空間内における旋回空気流によりダストカバー支持リブに沿ってケースカバーの内部底面中央、すなわち塵埃捕獲空間の底部中央に導かれる。また、ダストカバー取付ガイドがダストカバーの外周円の接線方向に対しエレメント収容空間内における旋回空気流の流れ方向と同一方向へ傾いているため、塵埃捕獲空間内に入り込んだ比較的質量の大きな塵埃は、塵埃捕獲空間内における旋回空気流により同様にダストカバー取付ガイドに沿って塵埃捕獲空間の底部中央に導かれる。そのため、比較的質量の大きな塵埃が塵埃捕獲空間内で均等に堆積し、全空間を塵埃捕獲空間として利用できることにより一度に多量の比較的質量の大きな塵埃を蓄積することが可能となるため、ケースカバーをクリーナーケースから取り外して比較的質量の大きな塵埃をエアクリーナの外部に排出させる回数を減らすことが可能となり、従来のサイクロン式エアクリーナと比べてより高い集塵効率を得ることができる。
【００３２】
また、ダストカバーがケースカバーの内部にケースカバーの軸芯と偏芯するように取り付けられた場合、ダストカバーがその外周部に凸部を備えるとともに、ダストカバー取付ガイドがダストカバーの回転方向に対する取付位置決めを行うように凸部を受容する受容部を備えていることが好ましい。このようにすれば、ダストカバーをケースカバーの内部に取り付ける際に、ダストカバーの回転方向に対する取付位置決めを容易に行うことができ、且つ誤った向きに取り付けることがない。
【図面の簡単な説明】
【図１】本発明に係るエアクリーナーの一実施形態を示す部分断面正面図である。
【図２】図１に示す本エアクリーナーの部分断面右側面図である。
【図３】図１に示す本エアクリーナーの部分断面左側面図である。
【図４】図１に示す本エアクリーナーの部分断面平面図である。
【図５】図１における矢視V−Vより見た断面図である。
【図６】図２における矢視VI−VIより見た断面図である。
【図７】図３における矢視VIIより見た底面図である。
【図８】本エアクリーナーの分解斜視図である。
【図９】インレットパイプの斜視図である。
【図１０】ケースカバーの正面図である。
【符号の説明】
１      エアクリーナー
１０    クリーナーケース
２０    ケース本体
２４    インレット
２５    空気流入窓
３０    上部カバー
３２    アウトレット
４０    ケースカバー
４２    ダストカバー支持リブ
４４    ダストカバー取付ガイド
４４ａ  受容部
５０    側部カバー
６０    フィルタエレメント
８０    ダストカバー
８０ａ  凸部
ＥＳ    エレメント収容空間
ＷＳ    水溜め空間
ＲＷ    レゾネータ空間
ＤＳ    塵埃捕獲空間
【図１】
0003989240.tif 000002
【図２】
0003989240.tif 000003
【図３】
0003989240.tif 000004
【図４】
0003989240.tif 000005
【図５】
0003989240.tif 000006
【図６】
0003989240.tif 000007
【図７】
0003989240.tif 000008
【図８】
0003989240.tif 000009
【図９】
0003989240.tif 000010
【図１０】
0003989240.tif 000011